(57)【要約】【課題】広告的効果が高く、しかも、見栄えがよく、しかも仕切り板としての効果も奏する商品収納ケース及び広告板を提供すること。【解決手段】上端が開放され多数の商品４を収納するケース本体２と、前記ケース本体２に着脱自在に装着される広告板３とを備え、前記広告板３は、自立可能に構成され、前記ケース本体２に装着された状態では、中央部分が前記ケース本体２の中央に位置し、その中央部分から前記ケース本体２周壁に向けて延びる仕切り壁を有すると共に、前記ケース本体から上方に突出する部分に商品関連広告が外部から視認可能に表示されていることを特徴とする。【選択図】図３
2005231673.tif 000002
【特許請求の範囲】
【請求項１】
上端が開放され多数の商品を収納するケース本体と、前記ケース本体に着脱自在に装着される広告板とを備え、前記広告板は、自立可能に構成され、前記ケース本体に装着された状態では、中央部分が前記ケース本体の中央に位置し、その中央部分から前記ケース本体周壁に向けて延びる仕切り壁を有すると共に、前記ケース本体から上方に突出する部分に商品関連広告が外部から視認可能に表示されていることを特徴とする商品収納ケース。
【請求項２】
前記広告板は、２つの広告片から構成され、一方の広告片の中央部分には上端に開口する切込みが形成され、他方の広告片の中央部分には下端に開口する切込みが形成され、前記切込み同士を合致させるようにして互いの切込みに相手方広告片を差し込むことによって組み立てられるように構成されていることを特徴とする請求項１に記載の商品収納ケース。
【請求項３】
上端が開放され多数の商品を収納するケース本体に着脱自在に装着される広告板であって、自立可能に構成され、前記ケース本体に装着された状態では、中央部分が前記ケース本体の中央に位置し、その中央部分から前記ケース本体周壁に向けて延びる仕切り壁を有すると共に、前記ケース本体から上方に突出する部分に商品関連広告が外部から視認可能に表示されていることを特徴とする広告板。
【請求項４】
２つの広告片から構成され、一方の広告片の中央部分には上端に開口する切込みが形成され、他方の広告片の中央部分には下端に開口する切込みが形成され、前記切込み同士を合致させるようにして互いの切込みに相手方広告片を差し込むことによって組み立てられるように構成されていることを特徴とする請求項３に記載の広告板。
【発明の詳細な説明】
【技術分野】
【０００１】
本発明は、多数の商品を収納する商品収納ケースに関するものである。
【背景技術】
【０００２】
この種の商品収納ケースとして、商品収納ケースの蓋をそのまま広告板として利用したものがある。この商品収納ケースは、蓋が奥側となるように商品収納ケースを設置し、の蓋を起立させると共に、その蓋の上半部を手前側に折り込んで、最奥の商品と商品収納ケースの内壁との間に差し込んで、その手前側に押し込んだ部分を広告板として利用するものである（例えば、特許文献１参照）。
一方、商品収納ケースの仕切り板として、仕切り部材として、ケース内の商品の仕切りして、第１構成板と第２構成板から構成され、第１構成板には下端に開口する切込みが形成され、第２構成板には下端に開口する切込みが形成され、前記切込み同士を合致させるようにして互いの切込みに相手方構成板を差し込むことによって組み立てられるものが知られている（例えば、特許文献２参照）。
【特許文献１】特開平１−１６２３７６号公報
【特許文献２】特開昭４８−８６０７７号公報
【発明の開示】
【発明が解決しようとする課題】
【０００３】
しかしながら、商品収納ケースの蓋をそのまま広告板として利用するものでは、広告的効果はあるものの、商品収納ケース内の商品が残り少なくなった場合には、商品がケース本体内で散らばりやすく、その都度、商品を整列させなければならないという問題がある。特に、外観からは区別できない種類の異なる商品が混在してケース本体内に収納され、購買者がその商品の中から適当に選択して購入するものでは、購買者が商品を掻き混ぜてしまうため、特にその傾向が強い。一方、仕切り板のある商品収納ケースでは、ケース本体内で商品が散らばることはないが、仕切り板には装飾が施されていないため、見栄えが悪いという問題があるとともに、広告的効果をあげるためには別途広告板を設置しなければならないという問題がある。
本発明は、かかる点に鑑みなされたものであり、広告的効果が高く、しかも、見栄えがよく、しかも仕切り板としての効果も奏する商品収納ケース及び広告板を提供することを目的としている。
【課題を解決するための手段】
【０００４】
請求項１に記載の商品収納ケースは、上端が開放され多数の商品を収納するケース本体と、前記ケース本体に着脱自在に装着される広告板とを備え、前記広告板は、自立可能に構成され、前記ケース本体に装着された状態では、中央部分が前記ケース本体の中央に位置し、その中央部分から前記ケース本体周壁に向けて延びる仕切り壁を有すると共に、前記ケース本体から上方に突出する部分に商品関連広告が外部から視認可能に表示されていることを特徴とする。この場合のケース本体は平面視で角形であってもよいし、円形その他であってもよい。
【０００５】
請求項２に記載の商品収納ケースは、請求項１に記載の商品収納ケースにおいて、前記広告板は、２つの広告片から構成され、一方の広告片の中央部分には上端に開口する切込みが形成され、他方の広告片の中央部分には下端に開口する切込みが形成され、前記切込み同士を合致させるようにして互いの切込みに相手方広告片を差し込むことによって組み立てられるように構成されていることを特徴とする。
【０００６】
請求項３に記載の広告板は、上端が開放され多数の商品を収納するケース本体に着脱自在に装着される広告板であって、自立可能に構成され、前記ケース本体に装着された状態では、中央部分が前記ケース本体の中央に位置し、その中央部分から前記ケース本体周壁に向けて延びる仕切り壁を有すると共に、前記ケース本体から上方に突出する部分に商品関連広告が外部から視認可能に表示されていることを特徴とする。
【０００７】
請求項４に記載の広告板は、請求項３に記載の広告板において、２つの広告片から構成され、一方の広告片の中央部分には上端に開口する切込みが形成され、他方の広告片の中央部分には下端に開口する切込みが形成され、前記切込み同士を合致させるようにして互いの切込みに相手方広告片を差し込むことによって組み立てられるように構成されている。
【発明の効果】
【０００８】
請求項１に記載の商品収納ケースによれば、ケース本体に広告板を装着することにより、広告板でもって購買者の購買意欲を喚起させることになる。また、広告板でもってケース本体内を仕切ることができるので、商品の残量が少なくなった場合でも、商品を特定の部屋にまとめることで見栄えが悪くなることもない。また、広告板の存在によって、ケース本体内はある程度の大きさに仕切られるので、商品の散らばりという問題点をある程度解消できる。さらに、広告板を摘んでケース本体を時計方向又は反時計方向に回転させることによって、購買者が簡単に商品を選択することができる。なお、ケース本体を回転させて商品を購入できるので、商品の選考にゲーム性を付与することもできる。
【０００９】
請求項２に記載の商品収納ケースによれば、広告板は分解したり、折り畳んだりすることができるので、その取扱いが頗る容易となる。
【００１０】
請求項３に記載の広告板によれば、ケース本体に広告板を装着することにより、広告板でもって購買者の購買意欲を喚起させることになる。また、広告板でもってケース本体内を仕切ることができるので、商品の残量が少なくなった場合でも、商品を特定の部屋にまとめることで見栄えが悪くなることもない。また、広告板の存在によって、ケース本体内はある程度の大きさに仕切られるので、商品がちらばるという問題点をある程度解消できる。さらに、広告板を摘んでケース本体を時計方向又は反時計方向に回転させることによって、購買者が簡単に商品を選択することができる。
【００１１】
請求項４に記載の広告板によれば、広告板は分解したり、折り畳んだりすることができるので、その取扱いが頗る容易となる。
【発明を実施するための最良の形態】
【００１２】
（全体構造）
図１には商品収納ケースの斜視図が示されている。この商品収納ケース１はケース本体２と広告板３とを備えている。ケース本体２には多数の商品４が収納されている。広告板３の表面には商品４に関連する広告（絵柄、文字等）が表示されている。また、図２には商品収納ケースの使用状態が示されている。ケース本体２内は広告板３によって複数の部屋に区画され、各部屋には当初所定個数の商品４が入れられている。この商品収納ケース１はコンビニエンスストア等の精算台等に載せられて使用される。
以下、その詳細について説明する。
【００１３】
（ケース本体）
ケース本体２は平面視で矩形状の箱の形に形成されている。材質は紙である。ケース本体２には、当初は広告板２が平面的に折り畳んだ状態で収容され、蓋５を閉めた状態で取引きされるようになっている（図１参照）。ここで、ケース本体２の開口縁の一辺には蓋５が取り付けられている。そして、この蓋５は、使用の際にケース本体２に対して切り取られるようになっている。
【００１４】
（商品）
商品４は、方形の商品箱と、その商品箱に封入された内容物とから構成されている。商品箱は不透明で内容物が外部から視認できないようにされている。この場合の内容物としては、キャラクタその他の形象物や、それに加えて又はそれに代えて菓子類が用意されている。そして、複数種の内容物が分けられて別々の商品箱に封入されている。また、商品箱の表面にも商品４に関連する広告（絵柄、文字等）が表示されている。
【００１５】
（広告板）
図３に示すように、広告板３は紙製の２数の広告片６，７から構成されている。２枚の広告片６，７はほぼ同形に形成されている。すなわち、２枚の広告片６，７は矩形状の下半部と半月状の上半部とから構成されている。この場合の下半部の長手方向の長さ寸法はケース本体２の一辺の寸法とほぼ同じとなっている。また、下半部と連結される上半部の弧の長さ寸法は、下半部の長手方向の長さ寸法よりも小さく、下半部の中央に上半部が連設された構造となっている。一方の広告片６の中央部分には上端に開口し中程まで延びる切込み８が形成され、他方の広告片７の中央部分には下端に開口し中程まで延びる切込み９が形成されている。この２枚の広告片６，７は切込み同士が合致するようにして互いの切込みに相手方広告片を差し込むことによって組み付けられる。そして、２つの広告片６，７は、使用の際に平面視で十字状となるように展開して使用される。２枚の広告片６，７には左右に分割された絵柄、文字、フレーズが表示されている。そして、ケース本体２の周りのどの角度から見ても、その絵柄、文字、フレーズが読み取れるようになっている。
なお、広告片６，７の中央部の高さ寸法はケース本体２の高さ寸法の２倍以上、好ましくは３倍以上であることが好ましい。２倍以上でないと、広告片６，７の表面に表示した広告の効果が十分発揮できないからである。また、広告板３は、当初は、２数の広告片６，７を互いに組み付け折り畳んだ状態で商品収納ケース１に収容されている。
【００１６】
（使用方法）
ケース本体２から蓋５を切り離す（図３参照）。次いで、２数の広告片６，７が互いに組み付けられ折り畳んだ状態で商品収納ケース１に収容されている広告板３（図１参照）を展開する。そして、広告片６，７がケース本体２内を縦横にそれぞれ２分割するように広告板３をケース本体２内に差し込む。これによって、ケース本体２内には４つの部屋が形成され、各部屋には４個の商品４が位置することになる。この状態で、商品収納ケース１は例えばコンビニエンスストア等の精算台等に載せられる。
【００１７】
購買者は、４つの部屋に位置する商品４のいずれを選択してもよいが、購買者から視て奥側の部屋に位置する商品４を購入しようとするときには、広告板３の中央部分を摘んでケース本体２を時計方向又は反時計方向に回転させればよい。このようにすれば、購買者は購入を望む商品４を自由に手元に導くことができる。また、ケース本体４を回転させない場合には、広告板３は奥側の部屋の目隠しとなるので、商品４の残量が少なくなった場合には手前側に商品４を移すことで、購買者側に位置する部屋の中の商品４の並びを美しく見せることができる。
【００１８】
（変形例）
上記実施形態では、広告板３の仕切り壁（中央部から放射状に延びる部分）を４つとしたが、２つ以上であればよい。また、商品４を商品箱と内容物とで構成したが、箱無しの無垢の商品を並べてもよいし、カプセル商品を並べてもよい。
【００１９】
また、上記実施形態では、ケース本体２及び広告板６，７を紙によって形成したものをあげたが、プラスチック製のものであってもよい。
【図面の簡単な説明】
【００２０】
【図１】第１実施形態に係る商品収納ケースの構成を示す斜視図である。
【図２】図１の商品収納ケースのケース本体から蓋を切り取り且つ広告板を分解した場合の斜視図である。
【図３】図１の商品収納ケースの使用状態を示す斜視図である。
【符号の説明】
【００２１】
１    商品収納ケース
２    ケース本体
３    広告板
４    商品
５    蓋
６，７    広告片
８，９    切込み
【図１】
2005231673.tif 000003
【図２】
2005231673.tif 000004
【図３】
2005231673.tif 000005